(57)【要約】【課題】少ない設備機器と少ない人手だけで、効率的に多数の無線通信モジュールのＰＳＫＥＹの書き替えを短時間で行う。【解決手段】マスタＰＣ４１は、無線通信モジュール４３を介して、ブロードキャストによりＰＳＫＥＹ変更コマンド▲１▼を無線通信モジュール１１〜１７に送信する。無線通信モジュール１１〜１７は、ＰＳＫＥＹ変更コマンドを受信したことをリモートＰＣ４２に報告する。リモートＰＣ４２は、この報告を受けて、無線通信モジュール１１〜１７のそれぞれに、ＰＳＫＥＹ変更コマンドに従ったＰＳＫＥＹの書き替え指示▲２▼を発行する。無線通信モジュール１１〜１７は、指示▲２▼に従ってＰＳＫＥＹの書き替えを実行し、実行終了のイベント▲３▼をリモートＰＣ４２に送信する。リモートＰＣ４２は、イベント▲３▼を受けて、マスタＰＣ４１に対して、各無線モジュール１１〜１７毎に終了コマンド▲４▼を発行する。【選択図】      図１
2004341800.tif 000002
【特許請求の範囲】
【請求項１】
無線通信モジュールにおけるモジュール設定用の情報であるＰＳＫＥＹを書き替える無線通信モジュールのＰＳＫＥＹ変更方法において、１台のパソコンに複数台の無線通信モジュールを接続し、前記無線通信モジュールとは別の無線通信モジュールを接続した制御用のパソコンからＰＳＫＥＹの変更を行う指示を発することにより、前記複数台の無線通信モジュールのＰＳＫＥＹの書き替えを行うことを特徴とする無線通信モジュールのＰＳＫＥＹ変更方法。
【請求項２】
前記無線通信モジュールが、ブルートゥース（Ｂｌｕｅｔｏｏｔｈ）モジュールであることを特徴とする請求項１記載の無線通信モジュールのＰＳＫＥＹ変更方法。
【発明の詳細な説明】
【０００１】
【発明の属する技術分野】
本発明は、無線通信モジュールのＰＳＫＥＹ変更方法に係り、特に、ブルートゥース（Ｂｌｕｅｔｏｏｔｈ）モジュール等の無線通信モジュールにおけるモジュール設定用の情報であるＰＳＫＥＹの変更を行う無線通信モジュールのＰＳＫＥＹ変更方法に関する。
【０００２】
【従来の技術】
一般に、ブルートゥースモジュール等の無線通信モジュールは、その内部にＲＦトランシーバＩＣ、ベースバンドＩＣ等を備えて構成され、ＲＦトランシーバの緒定数等の設定情報をフラッシュメモリ内に格納されるファームウェアとして備えている。このファームウェアは、モジュールの製品への組み込み時、アップデート時等に書き替える必要が生じる。そのため、モジュールには、ＰＳＫＥＹと呼ばれるモジュール設定用の情報を有しているのが一般的である。そして、ＰＳＫＥＹは、多種類のファームウェアに対応するものであり、ファームウェアの書き替えを行う場合に利用され、また、ＰＳＫＥＹそのものも、必要により書き替えられる。ＰＳＫＥＹの書き替えは、従来、１つの無線通信モジュールに対して、ＰＳＫＥＹ変更用にＰＣ等の機器一式と、その機器を操作するオペレータとが必要である。
【０００３】
図３は従来技術によるＰＳＫＥＹ変更時の無線通信モジュールと機器とを接続した作業環境について説明する図である。図３において、１１〜１ｎは無線通信モジュール、２１〜２ｎはパソコン（ＰＣ）、３１〜３ｎはオペレータである。
【０００４】
図３に示すように、従来技術によるＰＳＫＥＹ変更時の無線通信モジュールと機器とは、ＰＳＫＥＹの変更を行うべき複数の無線通信モジュール１１〜１ｎのそれぞれが、各モジュールのＰＳＫＥＹの書き替えを制御するＰＣ２１〜２ｎのそれぞれに、ＵＡＲＴインタフェースを介して接続され、各ＰＣ２１〜２ｎのそれぞれにオペレータ３１〜３ｎが一人ずつ配置されて行われる。
【０００５】
オペレータ３１〜３ｎは、１つのモジュールをＰＣに接続し、ＰＣからそのＰＣに接続された無線通信モジュール内のＰＳＫＥＹの書き替えの作業を行い、必要な数だけのモジュールについて、モジュールのＰＣへの接続と、ＰＳＫＥＹの書き替えとの作業を続ける。
【０００６】
なお、ＰＳＫＥＹの変更に関する従来技術として、例えば、特許文献１等に記載された技術が知られている。
【０００７】
【特許文献１】
特開２０００−２４２４８８号公報
【０００８】
【発明が解決しようとする課題】
前述した従来技術によるブルートゥースモジュール等の無線通信モジュールのＰＳＫＥＹの変更は、ＰＳＫＥＹの変更を行うべき１または複数の無線通信モジュールが、各モジュールのＰＳＫＥＹの書き替えを制御するＰＣに接続され、各ＰＣにオペレータを配置して、オペレータにより行われていたため、設備投資のコスト、人の作業の手間が大きく、ＰＳＫＥＹの変更を行うべきモジュールの数量が多くなると、膨大な時間も必要となるという問題点を有している。
【０００９】
本発明の目的は、前述した従来技術の問題点を解決し、少ない設備機器と少ない人手だけで、効率的に多数の無線通信モジュールのＰＳＫＥＹの書き替えを短時間で行うことを可能にした無線通信モジュールのＰＳＫＥＹ変更方法を提供することにある。
【００１０】
【課題を解決するための手段】
本発明によれば前記目的は、無線通信モジュールにおけるモジュール設定用の情報であるＰＳＫＥＹを書き替える無線通信モジュールのＰＳＫＥＹ変更方法において、１台のパソコンに複数台の無線通信モジュールを接続し、前記無線通信モジュールとは別の無線通信モジュールを接続した制御用のパソコンからＰＳＫＥＹの変更を行う指示を発することにより、前記複数台の無線通信モジュールのＰＳＫＥＹの書き替えを行うことにより達成される。
【００１１】
また、前記目的は、前記無線通信モジュールが、ブルートゥース（Ｂｌｕｅｔｏｏｔｈ）モジュールであることにより達成される。
【００１２】
【発明の実施の形態】
以下、本発明による無線通信モジュールのＰＳＫＥＹ変更方法の実施形態を図面により詳細に説明する。
【００１３】
図１は本発明の一実施形態によるＰＳＫＥＹ変更時の無線通信モジュールと機器とを接続した作業環境について説明する図、図２はＰＳＫＥＹ変更の処理動作を説明するシーケンス図である。図１において、４１はマスタＰＣ、４２はリモートＰＣ、４３は無線通信モジュール、４４はオペレータであり、他の符号は、図３の場合と同一である。
【００１４】
本発明は、無線通信モジュールとしてのブルートゥースモジュールが、その規格としてマルチＵＡＲＴインタフェースと呼ばれるインタフェース機能を有し、１台のＰＣに７台までのモジュールを接続可能であることを利用するものである。そして、本発明の実施形態での作業環境は、図１に示すように、オペレータ４４が操作して、ＰＳＫＥＹ変更の処理をするマスタＰＣ４１と、このマスタＰＣ４１に接続されて、ＰＳＫＥＹの変更が行われる複数（ここでは、最大の７台とする）の無線通信モジュール１１〜１７との間での通信を行うために設けられる無線通信モジュール４３と、前述の無線通信モジュール１１〜１７が接続されたリモートＰＣ４２とにより構成される。
【００１５】
次に、前述したような動作環境で、無線通信モジュール１１〜１７のＰＳＫＥＹの変更を行う場合の処理動作の概要を説明する。
【００１６】
まず、マスタＰＣ４１は、オペレータの操作により、無線通信モジュール４３を介して、ブロードキャストによりＰＳＫＥＹ変更コマンド▲１▼をＰＳＫＥＹの変更を行う全ての無線通信モジュール１１〜１７に送信する。このＰＳＫＥＹ変更コマンド▲１▼には、変更する新しいＰＳＫＥＹの情報が含まれている。
【００１７】
ＰＳＫＥＹ変更コマンド▲１▼を受信した無線通信モジュール１１〜１７は、ＰＳＫＥＹ変更コマンドを受信したことをリモートＰＣ４２に報告する。リモートＰＣ４２は、この報告を受けて、無線通信モジュール１１〜１７のそれぞれに、ＰＳＫＥＹ変更コマンドに従ってＰＳＫＥＹの書き替えの指示▲２▼を発行する。無線通信モジュール１１〜１７のそれぞれは、ＰＳＫＥＹの書き替えの指示▲２▼に従ってＰＳＫＥＹの書き替えを実行し、実行終了のイベント▲３▼をリモートＰＣ４２に送信する。リモートＰＣ４２は、各無線通信モジュール１１〜１７からの実行終了のイベント▲３▼を受けて、マスタＰＣ４１に対して、各無線モジュール１１〜１７毎に終了コマンド▲４▼を発行する。
【００１８】
前述により、７台の無線通信モジュール１１〜１７のＰＳＫＥＹの書き替えが終了し、オペレータ４４は、終了コマンド▲４▼により無線通信モジュール１１〜１７のＰＳＫＥＹの書き替えの終了を知ることができ、無線通信モジュール１１〜１７を別の無線通信モジュールに接続換えして、処理を続けることができる。
【００１９】
次に、図２に示すシーケンス図を参照して、前述したＰＳＫＥＹ変更の処理動作の詳細を説明する。
【００２０】
（１）まず、ＰＳＫＥＹの変更を行う最大７台の無線通信モジュール１１〜１７をリモートＰＣ４２にセットし、ＰＣ４２から  ｓｌａｖｅコマンドを発行する。この  ｓｌａｖｅコマンドを受けた無線通信モジュール１１〜１７は、ｓｌａｖｅ  コマンドに対する応答として、ｃｏｍｍａｎｄ＿ｃｏｍｐｌｅｔｅイベントを発行する。これにより、ＰＳＫＥＹの変更を行う無線通信モジュール１１〜１７は、全て動作可能な状態になる（シーケンス３０１、３０２）。
【００２１】
（２）前述により、ＰＳＫＥＹの変更の準備が整ったことになり、マスタＰＣ４１は、オペレータ４４のＰＳＫＥＹプログラムのスタート指示に基づいて、周辺に存在する無線通信モジュールを探索するｉｎｑｕｌｒｙ  コマンドを発行する。これにより、全ての無線通信モジュールからｃｏｍｍａｎｄ＿ｓｔａｔｕｓ，ｉｎｑｕｌｒｙ＿ｒｅｓｕｌｔのイベントが返され、マスタＰＣ４１は、全ての無線通信モジュールのデバイスアドレスを取得する（シーケンス３０３、３０４）。
【００２２】
（３）次に、マスタＰＣ４１は、モジュールとの接続を確立するｃｒｅａｔｅ  ｃｏｎｎｅｃｔｉｏｎ  コマンドを発行する。このコマンドの発行に対して、無線通信モジュール４３、１１〜１７からｃｏｎｎｅｃｔｉｏｎ＿ｃｏｍｐｌｅｔｅ  のイベントが返され、これにより、全ての無線通信モジュール１１〜１７との間でモジュール４３を介してコネクションが確立される（シーケンス３０５〜３０７）。
【００２３】
（４）マスタＰＣ４１は、オペレータの操作により、無線通信モジュール４３を介して、ブロードキャストによりＰＳＫＥＹ変更コマンドとして、ａｃｌａｂ“ＣｈａｎｇｅＰＳＫＥＹ”をＰＳＫＥＹの変更を行う全ての無線通信モジュール１１〜１７に送信する。このＰＳＫＥＹ変更コマンドには、変更する新しいＰＳＫＥＹの情報が含まれている（シーケンス３０８）。
【００２４】
（５）シーケンス３０８でのＰＳＫＥＹ変更コマンドを受信した無線通信モジュール１１〜１７は、“ＣｈａｎｇｅＰＳＫＥＹ”のイベントを発行して、ＰＳＫＥＹ変更コマンドを受信したことをリモートＰＣ４２に報告する（シーケンス３０９）。
【００２５】
（６）リモートＰＣ４２は、この報告を受けて、無線通信モジュール１１〜１７のそれぞれに、ＰＳＫＥＹ変更コマンドに含まれるＰＳＫＥＹの情報０ｘ０００ｘ及び設定値ｙｙｙｙを含む設定値変更の指示コマンドｐｓｓｅｔ  ０ｘ０００ｘ  ｙｙｙｙを発行する（シーケンス３１０）。
【００２６】
（７）無線通信モジュール１１〜１７のそれぞれは、シーケンス３１０でのＰＳＫＥＹの書き替えの指示コマンドに従ってＰＳＫＥＹの書き替えを実行し、書き替えを終了したことをリモートＰＣに報告するイベントｂｃｃｍｄ＿ｇｅｔｒｅｓｐ  を発行する（シーケンス３１１）。
【００２７】
（８）リモートＰＣ４２は、シーケンス３１１での各無線通信モジュール１１〜１７からの書き替え終了を報告するイベントを受けて、各無線通信モジュール１１〜１７のデバイスアドレスを含む終了報告コマンドａｃｌ“Ｃｏｍｐｌｅｔｅ  ０００２ｃ７ｚｚｚｚｚｚ”  を発行する（シーケンス３１２）。
【００２８】
（９）無線通信モジュール４３は、シーケンス３１２のコマンドを受けてマスタＰＣ４１に対して、各無線通信モジュール１１〜１７毎に終了のイベント“Ｃｏｍｐｌｅｔｅ  ０００２ｃ７ｚｚｚｚｚｚ”を発行する。このイベントの受信により、マスタＰＣ４１は、それぞれの無線通信モジュールとの接続の切断を指示するコマンドｄｉｓｃｏｎｎｅｃｔ  ０００２ｃ７ｚｚｚｚｚｚ  を発行する（シーケンス３１３、３１４）。
【００２９】
（１０）シーケンス３１４でのコマンドを受けた無線通信モジュール４３は、各無線通信モジュール１１〜１７との接続を切断し、ｄｉｓｃｏｎｎｅｃｔｉｏｎ＿ｃｏｍｐｌｅｔｅのイベントを発行して、全体の処理が終了する（シーケンス３１５）。
【００３０】
前述した処理において、シーケンス３１０〜３１４までの処理は、各無線通信モジュール１１〜１７１つ１つに対して行われるため、図１に示した例の場合、７回繰り返し行われる。
【００３１】
前述で説明した本発明の実施形態での処理は、処理プログラムにより実行することができ、この処理プログラムは、ＨＤ、ＤＡＴ、ＦＤ、ＭＯ、ＤＶＤ−ＲＯＭ、ＣＤ−ＲＯＭ等の記録媒体に格納して提供することができる。
【００３２】
前述した本発明の実施形態によれば、無線通信モジュールとしてのブルートゥースモジュールが、その規格としてマルチＵＡＲＴインタフェースと呼ばれるインタフェース機能を有し、１台のＰＣに７台までのモジュールを接続可能であることを利用して、同時に複数の無線通信モジュールＰＳＫＥＹの書き替えを行うようにしているので、少ない設備機器と少ない人手だけで、効率的に多数の無線通信モジュールのＰＳＫＥＹの書き替えを短時間で行うことができる。
【００３３】
前述した本発明の実施形態は、無線通信モジュールとして、ブルートゥースモジュールを例として説明したが、本発明は、ＰＳＫＥＹのようなモジュール設定用の情報をもち、これを書き替える必要がある無線通信モジュールであれば、他の無線通信モジュールに対しても適用することができる。
【００３４】
【発明の効果】
以上説明したように本発明によれば、少ない設備機器と少ない人手だけで、効率的に多数の無線通信モジュールのＰＳＫＥＹの書き替えを短時間で行うことができる。
【図面の簡単な説明】
【図１】本発明の一実施形態によるＰＳＫＥＹ変更時の無線通信モジュールと機器とを接続した作業環境について説明する図である。
【図２】ＰＳＫＥＹ変更の処理動作を説明するシーケンス図である。
【図３】従来技術によるＰＳＫＥＹ変更時の無線通信モジュールと機器とを接続した作業環境について説明する図である。
【符号の説明】
１１〜１ｎ、４３  無線通信モジュール
２１〜２ｎ  パソコン（ＰＣ）
３１〜３ｎ、４４  オペレータ
４１  マスタＰＣ
４２  リモートＰＣ
【図１】
2004341800.tif 000003
【図２】
2004341800.tif 000004
【図３】
2004341800.tif 000005